(57)【要約】【課題】軒の出寸法を小さくしつつ複雑に曲げられて雨水の浸入を防止しうる換気経路を有する。【解決手段】垂木２の軒側Ｓ１に突出するはみ出し部１０を有する屋根材３と、垂木２に鼻板下地材１６を介して固着される外装材４と、外装材４に軒先化粧板２３を介して固着された軒樋５と、屋根材３に固着された軒先水切板６とを含む。外装材４及び鼻板下地材１６は、はみ出し部１０と第１の小隙間Ｃ１を隔てる。軒先化粧板２３は、はみ出し部１０の下面と第２の小隙間Ｃ２を隔てる化粧板本体３１と、その上端から軒側Ｓ１にのびる返し部３２とを含む。軒先水切板６は、屋根材３の端部分３ｔから下降する水切本体６ａと、水切本体６ａから返し部３２と第３の小隙間Ｃ３を隔ててのび、化粧板本体３１と第４の小隙間Ｃ４を隔てる雨よけ片６ｂとを含む。小屋裏空間４４と外気とが第１、第２、第３及び第４の小隙間Ｃ１、Ｃ２、Ｃ３、Ｃ４を通る換気経路４５で連通する。【選択図】図１
2010265651.tif 000002
【特許請求の範囲】
【請求項１】
家屋の軒先構造であって、
水平方向に隔設された垂木に支持されかつ該垂木の軒側の端面から軒側に突出するはみ出し部を有する屋根材と、
前記垂木に鼻板下地材を介して固着されかつ前記屋根材のはみ出し部の下方を上下にのびる外装材と、
前記外装材の上部に固着された軒樋下地材に軒先化粧板を介して取り付けられた前記屋根材からの雨水を受ける軒樋と、
前記屋根材に固着された軒先水切板とを含み、
前記外装材及び前記鼻板下地材の各上端は、前記はみ出し部の下面と第１の小隙間を隔てて配され、
前記軒先化粧板は、前記外装材に沿ってのびかつ前記はみ出し部の下面と第２の小隙間を隔て終端する化粧板本体と、該化粧板本体の上端ではみ出し部の下面に沿って軒側にのびる返し部とを含み、
前記軒先水切板は、屋根材の端部分から軒樋に向かって下降する傾斜の水切本体と、この水切本体から前記軒先化粧板の返し部の先端と第３の小隙間を隔ててその下方にのびるとともに化粧板本体と第４の小隙間を隔てて終端する雨よけ片とを含むことにより、
小屋裏空間と外気とが、前記第１、第２、第３及び第４の小隙間を通る換気経路で連通することを特徴とする軒先構造。
【請求項２】
前記換気経路に、温度上昇によって空気の流れを遮断する防火ダンパが固着される請求項１記載の軒先構造。
【請求項３】
前記屋根材は、勾配を有するとともに、
前記防火ダンパは、鼻板下地材に取付片を介して固着され、かつ、
前記取付片は、前記はみ出し部の下面と略直交する向きの傾斜の防火ダンパ取付面を有する請求項２に記載の軒先構造。
【発明の詳細な説明】
【技術分野】
【０００１】
本発明は、軒の出寸法を小さくしつつ、雨水の浸入を防止しうる換気経路を具えた軒先構造に関する。
【背景技術】
【０００２】
図６に示されるように、家屋の軒先ａには、水平方向に隔設された垂木ｂの下方で上下にのびる外壁ｃの外装材ｄと、該外装材ｄから軒側へ離間して設けられかつ垂木ｂに換気鼻板ｅを介して固着される軒樋ｆとの間に、隙間ｇを設けることによって、小屋裏空間ｈと外気とが連通する換気経路ｊが一般的に形成されている（例えば、特許文献１参照）。
【先行技術文献】
【特許文献】
【０００３】
【特許文献１】特開平１１−１５９０１８号公報
【発明の概要】
【発明が解決しようとする課題】
【０００４】
ところで、近年の外壁ｃの厚さは、断熱性や遮音性等の諸性能の向上によって増加する傾向にある。これに伴い、屋根材ｋ及び軒樋を含む軒先端部ｎは、この外壁ｃの増加分だけ屋外側へ突出し易い。このような軒先端部ｎの突出は、道路斜線や、北側斜線等の斜線制限の厳しい都市部においては不利となる。居住空間を減じることなく、このような斜線制限を回避するには、軒の出寸法ｍを小さくすることが重要である。
【０００５】
本発明は、以上のような実状に鑑み案出されたもので、軒の出寸法を小さくしつつ、複雑に曲げられて雨水の浸入を防止しうる換気経路を有する軒先構造を提供することを主たる目的としている。
【課題を解決するための手段】
【０００６】
本発明のうち請求項１記載の発明は、家屋の軒先構造であって、水平方向に隔設された垂木に支持されかつ該垂木の軒側の端面から軒側に突出するはみ出し部を有する屋根材と、前記垂木に鼻板下地材を介して固着されかつ前記屋根材のはみ出し部の下方を上下にのびる外装材と、前記外装材の上部に固着された軒樋下地材に軒先化粧板を介して取り付けられた前記屋根材からの雨水を受ける軒樋と、前記屋根材に固着された軒先水切板とを含み、前記外装材及び前記鼻板下地材の各上端は、前記はみ出し部の下面と第１の小隙間を隔てて配され、前記軒先化粧板は、前記外装材に沿ってのびかつ前記はみ出し部の下面と第２の小隙間を隔て終端する化粧板本体と、該化粧板本体の上端ではみ出し部の下面に沿って軒側にのびる返し部とを含み、前記軒先水切板は、屋根材の端部分から軒樋に向かって下降する傾斜の水切本体と、この水切本体から前記軒先化粧板の返し部の先端と第３の小隙間を隔ててその下方にのびるとともに化粧板本体と第４の小隙間を隔てて終端する雨よけ片とを含むことにより、小屋裏空間と外気とが、前記第１、第２、第３及び第４の小隙間を通る換気経路で連通することを特徴とする。
【０００７】
また、請求項２記載の発明のように、換気経路に、温度上昇によって空気の流れを遮断する防火ダンパが固着されるのが望ましい。
【０００８】
また、請求項３記載の発明のように、前記屋根材は、勾配を有するとともに、前記防火ダンパは、鼻板下地材に取付片を介して固着され、かつ、前記取付片は、前記はみ出し部の下面と略直交する向きの傾斜の防火ダンパ取付面を有するのが望ましい。
【発明の効果】
【０００９】
本発明の軒先構造は、水平方向に隔設された垂木に支持されかつ該垂木の軒側の端面から軒側に突出するはみ出し部を有する屋根材と、垂木に鼻板下地材を介して固着されかつ屋根材のはみ出し部の下方を上下にのびる外装材と、外装材の上部に固着された軒樋下地材に軒先化粧板を介して取り付けられた屋根材からの雨水を受ける軒樋と、屋根材に固着された軒先水切板とを含む。外装材及び前記鼻板下地材の各上端は、はみ出し部の下面と第１の小隙間を隔てて配され、軒先化粧板は、外装材に沿ってのびかつはみ出し部の下面と第２の小隙間を隔て終端する化粧板本体と、該化粧板本体の上端ではみ出し部の下面に沿って軒側にのびる返し部とを含み、軒先水切板は、屋根材の端部分から軒樋に向かって下降する傾斜の水切本体と、この水切本体から軒先化粧板の返し部の先端と第３の小隙間を隔ててその下方にのびるとともに化粧板本体と第４の小隙間を隔てて終端する雨よけ片とを含むことにより、小屋裏空間と外気とが、第１、第２、第３及び第４の小隙間を通る換気経路で連通する。
【００１０】
このように、本発明の軒先構造は、外装材と軒樋との間に隙間を設けることなく換気経路を形成できるので、軒の出寸法を小さくできる。これにより、外壁の厚さが増加しても、その増加分を吸収でき、斜線制限等に対して有利となるため、居住空間の減少を防ぐことができる。
【００１１】
また、換気経路は、屋外から、軒先化粧板の化粧板本体と軒先水切板の雨よけ片の下端との第４の小隙間を通って、軒側上方へ向きを変え、該化粧板本体の上端から軒側にのびる返し部の先端と該雨よけ片との第３の小隙間を通過する。そして、外装材側へ向きを変えて、化粧板本体の上端と屋根材のはみ出し部との第２の小隙間、及び鼻板下地材の上端と該はみ出し部の下面との第１の小隙間を通過する。このように、換気経路は、複数箇所で屈曲部を有するので、外気とともに第４の小隙間から浸入する雨水が、小屋裏空間へ浸入するのを好ましく抑制できる。
【図面の簡単な説明】
【００１２】
【図１】本発明の軒下構造の一形態を例示する断面図である。
【図２】図１の要部拡大図である。
【図３】防火ダンパが固着された軒下を示す断面図である。
【図４】換気経路に取り付けられた防火ダンパを示す斜視図である。
【図５】（ａ）は防火ダンパが取付片を介して固着された軒下を示す断面図、（ｂ）は取付片を拡大して示す斜視図である。
【図６】従来の軒下構造を示す断面図である。
【発明を実施するための形態】
【００１３】
以下、本発明の実施の一形態が図面に基づき説明される。
図１に示されるように、本実施形態の家屋の軒先構造は、水平方向に隔設された垂木２に支持される屋根材３と、該垂木２に固着されて上下にのびる外装材４と、該外装材４の上部に取り付けられて屋根材３からの雨水を受ける軒樋５と、屋根材３に固着された軒先水切板６とを含んで形成される。
【００１４】
前記垂木２は、例えばＩ形鋼、Ｈ形鋼等の鋼材からなる屋根梁７のフランジ部７ｆに、固定金具９を介して固着される。また、本実施形態の垂木２は、棟側から軒側に向かって下降する勾配を有する。
【００１５】
本実施形態の屋根材３は、垂木２の上面に固着される野地板３Ａと、該野地板３Ａの上に、例えば防水シート（図示省略）を介して配された屋根葺材３Ｂとを含んで構成される。屋根葺材３Ｂは、例えば、野地板３Ａに固着される見切り材１３を介して取り付けられる。また、屋根材３は、垂木２の端面２ｔから軒側Ｓ１に突出するはみ出し部１０を有する。
【００１６】
前記外装材４は、垂木２の端面２ｔに、鼻板下地材１６、及びシール材１８を介して固着され、かつ屋根材３のはみ出し部１０の下方で上下にのびる。また、図２に拡大して示されるように、外装材４及び鼻板下地材１６の各上端４ｕ、１６ｕは、はみ出し部１０の下面と第１の小隙間Ｃ１を隔てて配される。
【００１７】
図１に示されるように、前記外装材４は、例えば、その屋内側Ｓ２かつ屋根梁７の下方に配される矩形に枠組みされた枠材及び断熱材等の内装材（いずれも図示省略）等を含むことによって外壁１７を構成している。なお、外装材４としては、窯業系、金属系その他のサイディング板などが用いられ、表面に、タイル材等の装飾材（図示省略）が貼り付けられても良い。
【００１８】
本実施形態の軒樋５は、外装材４の上部に固着された木材からなる軒樋下地材２２及び軒先化粧板２３を介して固着される軒樋取付材２４に支持される。また、軒樋５には、その下部に形成される孔部（図示省略）から下方にのびる竪樋２６が設けられる。竪樋２６は、外装材４に固着されるつかみ金具２７を介して取り付けられ、軒樋５内の雨水を、例えば地上にある排水口（図示省略）まで案内しうる。
【００１９】
前記軒先化粧板２３は、例えば、鉄板等の金属薄板から形成され、外装材４に沿ってのびる化粧板本体３１と、該化粧板本体３１の上端で、屋根材３のはみ出し部１０の下面に沿って小長さで軒側Ｓ１へのびる返し部３２とを含んで形成される。
【００２０】
図２に示されるように、化粧板本体３１の上端は、屋根材３のはみ出し部１０の下面と、第２の小隙間Ｃ２を隔てて終端する。また、返し部３２の傾斜角は、該返し部３２の上面と、はみ出し部１０の下面との間の隙間が、第２の小隙間Ｃ２よりも狭くならないように、野地板３Ａと平行、又はやや大きくするのが好ましい。
【００２１】
また、軒先化粧板２３には、化粧板本体３１に、軒樋下地材２２の下面より下方へ突出する突出部３３と、この突出部３３の下端で折り返され、かつ該軒樋下地材２２の下面に沿ってのび、しかも他端が外装材４に当接することによって、軒樋下地材２２の下面を覆う覆い部３４とが設けられる。
【００２２】
前記突出部３３は、化粧板本体３１の外面に沿って流れる雨水を水切りし、該雨水が該軒樋下地材２２の下面へ回り込むことを抑制しうる。また、本実施形態の覆い部３４には、外装材４側に出隅状に下方へ突出する見切部３５が形成される。このような見切部３５は、軒樋下地材２２と外装材４との見切り部分を覆って美観を高め、かつ覆い部３４の下面に沿って流れる雨水が軒樋下地材２２側へ回り込むことを抑制しうる。
【００２３】
また、図１に示されるように、前記軒先水切板６は、屋根材３の端部分３ｔから軒樋５に向かって下降する傾斜の水切本体６ａと、この水切本体６ａから軒先化粧板２３側へのびる雨よけ片６ｂとを含む。また、本実施形態の軒先水切板６には、屋根材３の端部分３ｔから、野地板３Ａと屋根葺材３Ｂとの間に形成された間隙１４を野地板３Ａに沿ってのびる固着片３８を有する。この固着片３８が、野地板３Ａに固着されることによって、軒先水切板６が屋根材３に固着される。
【００２４】
図２に示されるように、本実施形態の水切本体６ａは、前記傾斜で野地板３Ａの端からのびる基板部４１と、該基板部４１の下端で内側に折り返される折返部４２とを含んで構成される。水切本体６ａの下端は、屋根葺材３Ｂの軒側端部３Ｂｔよりも屋外側に突出する。これにより、水切本体６ａは、軒側端部３Ｂｔから流れ落ちる雨水を受けて、軒樋５（なお、図２では省略するが、図１に示す）へ案内できる。
【００２５】
本実施形態の雨よけ片６ｂは、水切本体６ａの折返部４２の端部で折り曲がり、軒先化粧板２３側かつ下方へのびる傾斜で形成される。また、雨よけ片６ｂは、軒先化粧板２３の返し部３２の先端と第３の小隙間Ｃ３を隔てるとともに、化粧板本体３１と第４の小隙間Ｃ４を隔てて終端する。さらに、雨よけ片６ｂの端部には、内側へ折り返される折返部４３が形成されている。このように、軒先水切板６は、水切本体６ａ、雨よけ片６ｂによって、野地板３Ａを軒先側で覆うことができ、該野地板３Ａの耐久性を向上しうる。また、本実施形態の軒先水切板６は、水切本体６ａ、雨よけ片６ｂ及び固着片３８が、例えば、１枚の金属薄板を折り曲げて形成でき、安価に形成できる。
【００２６】
図１、図２に示されるように、本実施形態の軒先構造は、第１、第２、第３、及び第４の小隙間Ｃ１、Ｃ２、Ｃ３、Ｃ４によって、小屋裏空間４４と外気とが連通する換気経路４５（図１に示す）が形成される。図１に示すように、本実施形態の軒先構造は、外装材４と軒樋５との間に隙間を設けることなく換気経路４５を形成でき、従来の軒先構造に比べて軒の出寸法Ｌ１を小さくできる。このため、断熱性や遮音性等の諸性能の向上のために外壁１７の厚さが増加しても、その増加分を吸収でき、道路斜線や、北側斜線等の斜線制限等に対して有利となり、居住空間の減少を防ぐことができる。また、このような軒先構造は、図１に示されるように、軒の出寸法Ｌ１が小さいため、外装材４から竪樋２６までの距離を短くできる。これにより、竪樋２６は、軒樋５との間にエルボ等による屈曲部が形成されることなく、まっすぐに形成してコストを抑えつつ、美観を高めうる。
【００２７】
また、換気経路４５は、屋外の外気が、第４の小隙間Ｃ４を通過した後、軒側Ｓ１の上方へ向きを変えて第３の小隙間Ｃ３を通過し、外装材４側へ向きを変えて、第２の小隙間Ｃ２及び第１の小隙間Ｃ１を通過して小屋裏空間４４へと通じる。このような換気経路４５は、複数箇所の屈曲部Ｒを有するため、外気とともに雨水が小屋裏空間４４内に浸入するのを好ましく抑制できる。
【００２８】
第１、第２、第３及び第４の小隙間Ｃ１、Ｃ２、Ｃ３、Ｃ４の最小距離Ｗ１、Ｗ２、Ｗ３、Ｗ４は、例えば、それぞれ８〜１５mm程度に形成されるのが好ましい。これにより、換気経路４５に、複数の屈曲部Ｒが形成されていても、十分な通気性を確保できる。また、第１、第２、第３及び第４の小隙間Ｃ１、Ｃ２、Ｃ３、Ｃ４は、垂木２間の水平方向で必ずしも連続する必要はない。
【００２９】
また、図３、図４に示されるように、換気経路４５には、温度上昇によって空気の流れを遮断する防火ダンパ５１が固着されてもよい。この防火ダンパ５１は、例えば、水平方向にのびる長尺状の本体部５２と、該本体部５２の前面に形成される例えばスリット状の通気孔５３と、温度上昇によって通気孔５３を閉じるダンパ部５４とを有して構成される。本体部５２は、基板５５と、該基板５５の上下端でフランジ状にのびる一対のフランジ片５６、５７とから構成される。通気孔５３は、基板５５の水平方向に複数個隔設される。
【００３０】
本実施形態の防火ダンパ５１は、その本体部５２を、外装材４の上端４ｕと、はみ出し部１０の下面との間で、基板５５が軒側Ｓ１に向くように配される。本体部５２は、基板５５に形成される孔部５８に、ビスないし釘等の固着具５９を用いて鼻板下地材１６に固着される。上のフランジ片５６とはみ出し部１０の下面との間、及び下のフランジ片５７と外装材４の上端４ｕとの間には、不燃性のシール材６０が配されるのが好ましい。
【００３１】
このように、換気経路４５に、防火ダンパ５１が固着されることによって、外気とともに浸入する火炎や熱気を遮断することができるので、小屋裏空間４４（図１に示す）等への火炎の進入を防ぎうる。
【００３２】
また、図５（ａ）に示されるように、屋根材３が比較的大きな勾配を有する場合、防火ダンパ５１を取り付ける場所が屋根材３で覆われるため、ビス等の固着具５９を鼻板下地材１６に水平に打ち込むことが容易ではない。このような場合には、防火ダンパ５１は、取付片６１を介して固着されるのが好ましい。
【００３３】
本実施形態の取付片６１は、図５（ａ）、（ｂ）に示されるように、はみ出し部１０の下面と略直行する向きの傾斜の防火ダンパ取付面６２、鼻板下地材１６と平行にのびる背面６３、該防火ダンパ取付面６２の上端と、該背面６３の上端とを継ぎ、かつはみ出し部１０の下面に沿ってのびる上面６４、及び防火ダンパ取付面６２の下端と背面６３の下端とを継ぐ下面６５を含み、例えば、断面略台形状に形成される。防火ダンパ取付面６２及び背面６３には、固着具５９を挿通させる孔部６６や、換気経路４５の通気を確保する気孔６７が形成されている。
【００３４】
この取付片６１は、背面６３を鼻板下地材１６に、上面６４をはみ出し部１０にそれぞれ当接させ、防火ダンパ取付面６２に防火ダンパ５１を当接させる。これにより、防火ダンパ取付面６２及び防火ダンパ５１は、はみ出し部１０の下面と略直行する向きに傾斜できるので、固着具５９を、はみ出し部１０と略平行に挿通させることができる。また、固着具５９は、鼻板下地材１６に対して傾斜した状態で打ち込まれるが、取付片６１によって防火ダンパ５１が安定して支持されるので、容易に固着できる。
【００３５】
以上、本発明の特に好ましい実施形態について詳述したが、本発明は図示の実施形態に限定されることなく、種々の態様に変形して実施しうる。
【符号の説明】
【００３６】
２    垂木
３    屋根材
４    外装材
５    軒樋
６    軒先水切板
６ａ    水切本体
６ｂ    雨よけ片
１６    鼻板下地材
２２    軒樋下地材
２３    軒先化粧板
３１    化粧板本体
３２    返し部
Ｃ１    第１の小隙間
Ｃ２    第２の小隙間
Ｃ３    第３の小隙間
Ｃ４    第４の小隙間
【図１】
2010265651.tif 000003
【図２】
2010265651.tif 000004
【図３】
2010265651.tif 000005
【図４】
2010265651.tif 000006
【図５】
2010265651.tif 000007
【図６】
2010265651.tif 000008